(57)【特許請求の範囲】
【請求項１】
ケースの内部に収納されて電線を固定する速結式の端子部と、該端子部に電線を案内する電線挿入孔と、前記ケースから突出する方向に付勢されている表示部に形成された押圧片が前記電線の先端に押圧され、前記電線の挿入方向に移動して前記電線の接続完了を表示する表示部材とを備えた端子装置において、前記表示部材の表示部に前記電線挿入孔を設けて前記表示部を円筒状に形成し、前記表示部の外周に電線接続が完了した際に前記押圧片が前記電線の先端に押圧され、前記ケース内に没入して隠れる目印を設けたことを特徴とする端子装置。
【発明の詳細な説明】
【技術分野】
【０００１】
本発明は、ブレーカや配線器具などに用いられ、電線を差し込むだけで接続ができる速結式の端子装置に関する。
【背景技術】
【０００２】
従来からブレーカや配線器具の端子装置としてケースに形成された電線挿入孔に電線を差し込むだけで接続ができる速結式の端子装置が用いられている。速結式の端子装置は接続が簡単であるが確実に接続できたかどうか不安が残るため、作業者が電線の接続を正常にできたかどうか確認できるように接続状態表示機構が設けられている。この接続状態表示機構としては、例えば電線挿入孔に挿入された電線の先端により表示部材を押圧して移動させることによりケースの外側に突出していた表示部材がケース内に没入して電線の接続完了を表示するものがあった（特許文献１参照）。
【０００３】
【特許文献１】特開２００５−１００８５９号公報
【発明の開示】
【発明が解決しようとする課題】
【０００４】
しかしながら、従来の端子装置は電線挿入孔が形成された側面とは異なる側面に表示部材が出没して表示を行うため、表示がわかりづらく、特に端子装置の数量が多くなるとどの端子装置と表示部材が対応しているのかわかりづらいという欠点があった。
【課題を解決するための手段】
【０００５】
本発明は、ケースの内部に収納されて電線を固定する速結式の端子部と、端子部に電線を案内する電線挿入孔と、ケースから突出する方向に付勢されている表示部に形成された押圧片が電線の先端に押圧され、電線の挿入方向に移動して電線の接続完了を表示する表示部材とを備えた端子装置において、表示部材の表示部に電線挿入孔を設けて表示部を円筒状に形成し、表示部の外周に電線接続が完了した際に押圧片が電線の先端に押圧され、ケース内に没入して隠れる目印を設けたことを特徴とする
【発明の効果】
【０００６】
本発明によれば、電線挿入孔の周囲が出没して電線接続状態の表示を行うので表示がわかりやすいとともに、表示部の外周に目印を設けたので視認性が良いという効果がある。
【発明を実施するための最良の形態】
【０００７】
端子装置はケースの内部に端子板と鎖錠バネから成る速結式の端子部を収納し、この端子部へ電線を案内する電線挿入孔を表示部材の表示部に形成し、表示部を円筒状に形成して外周に電線接続が完了した際にケースに没入して隠れる目印を設ける。表示部材は電線未接続時は付勢バネによって表示部がケースから突出し、電線接続時は挿入された電線の先端により押圧片が押圧されて付勢バネの力に抗してケース内に引き込まれて表示部がケースから突出しない位置まで没入することにより電線の接続状態を表示する。
【実施例１】
【０００８】
本発明に係る端子装置の実施例１を図１〜図４の添付図面に基づいて説明する。
【０００９】
速結式の端子装置１は、ブレーカ２の負荷側端子としてケース３の長手方向の一方側に２個設けられている。端子装置１はケース３の内部に収納されて電線４を固定する端子板５と鎖錠バネ６から成る端子部７と、端子部７へ電線４を案内する電線挿入孔８ａが形成されてケースに出没自在に設けられた表示部材８と、表示部材８をケース３から突出する方向に付勢する付勢バネ９と、端子部７に固定された電線４を解除する解除部材１０と、解除部材１０を復帰位置に回動させる復帰バネ１１とで構成している。
【００１０】
端子部７を構成する端子板５は略コ字状に形成されてケース３内に配置され、主電路に接続されている。また、鎖錠バネ６は電線の挿入方向に傾斜して挿入された電線に食い込んで鎖錠する鎖錠片６ａと、電線を端子板５の内面に圧接する略Ｓ字状の圧接片６ｂとで成り、端子板５の内側に設けられている。
【００１１】
表示部材８は電線４が挿通可能な電線挿入孔８ａが形成されてケース３の外側に突出した位置から電線４の挿入方向に移動する略円筒状の表示部８ｂと、表示部８ｂから延設されて電線挿入孔８ａから挿入された電線４の先端に押圧される押圧片８ｃと、付勢バネ９が係止する係止片８ｄとが形成され、付勢バネ９の一端が係止片８ｄに係止し、他端がケース３に係止されて表示部材はケース３から突出する方向に付勢されている。
【００１２】
解除部材１０は、ケース３の外側に突出して回動操作する操作部１０ａと、端子部７の鎖錠バネ６の鎖錠片６ａを変形させて鎖錠を解除する解除部１０ｂとが形成され、ケース３に回動可能に軸支され、復帰バネ９によって復帰位置に回動するように付勢されている。
【００１３】
このようにして形成された端子装置１は、電線４を接続していない状態では図２に示すように表示部材８の表示部８ｂが付勢バネ９の力によりケース３から突出する方向に付勢され、押圧片８ｃが端子板５の端縁に係止して図１及び図２に示すように表示部８ｂがケース３から突出した状態で保持されている。そして、電線４を電線挿入孔８ａに挿入すると、まず、電線４に鎖錠バネ６の鎖錠片６ａが食い込んで引き抜けないように固定され、更に電線４を挿入すると鎖錠バネ６の圧接片６ｂによって電線４を端子板５に圧接して電気的に接続される。それから、更に電線４を挿入すると電線４の先端が表示部材８の押圧片８ｃに当接し、そこから電線４を押し込むと図４に示すように電線４の先端が押圧片８ｄを押圧して表示部材８は付勢バネ９の力に抗してケース３内に引き込まれ、図３及び図４に示すように表示部８ｂがケース３から突出しない位置まで没入して電線４の接続が完了したことを表示する。
【００１４】
また、電線４の接続を解除するには解除部材１０の操作部１０ａを表示部８ｂ側に押して図４で反時計方向に回動させると解除部８ｃが鎖錠バネ６の鎖錠片６ａを変形させて電線４との係止が解除するので、操作部１０ａを表示部８ｂ側に押したままで電線４を引っ張ることにより電線４を引き抜くことができる。これにより、表示部材８の押圧片８ｃは電線４による押圧がなくなるので付勢バネ９の力によって表示部８ｂがケース３から突出し、電線４の接続が解除したことを表示する。
【００１５】
尚、図５に示すように表示部８ｂの外周の一部を着色したり、図示しないが表示部８ｂの外周全体を着色したり、溝を設けてこれらの目印が電線接続完了時にケース３内に没入して隠れるようにすることで表示の視認性を向上させることができる。表示部８ｂは図６に示すように電線接続完了時に目印が隠れていれば先端がケース３から突出していても良い。
【００１６】
また、本実施例において端子装置をブレーカに用いたが、コンセントやスイッチなどの配線器具のように速結式の端子装置を用いるものであれば実施することが可能である。また、端子装置の数量を２個としているが、必要に応じて変更しても良く、その他の端子装置の形状や構造についても本発明の趣旨を逸脱しない範囲において適宜に変更して実施することが可能である。
【図面の簡単な説明】
【００１７】
【図１】本発明に係る端子装置を示す回路遮断器の斜視図である。
【図２】本発明に係る端子装置を示す回路遮断器の内部構造図である。
【図３】本発明に係る端子装置に電線を接続した状態を示す回路遮断器の斜視図である。
【図４】本発明に係る端子装置に電線を接続した状態を示す回路遮断器の内部構造図である。
【図５】本発明に係る端子装置の変形実施例を示す回路遮断器の斜視図である。
【図６】図５の端子装置に電線を接続した状態を示す回路遮断器の斜視図である。
【符号の説明】
【００１８】
１    端子装置
３    ケース
４    電線
５    端子板
６    鎖錠バネ
７    端子部
８    表示部材
８ａ    電線挿入孔
８ｂ    表示部
８ｃ    押圧片
８ｄ    係止片
９    付勢バネ
１０    解除部材
【図１】
0004798760.tif 000002
【図２】
0004798760.tif 000003
【図３】
0004798760.tif 000004
【図４】
0004798760.tif 000005
【図５】
0004798760.tif 000006
【図６】
0004798760.tif 000007